(57)【要約】【課題】効率よく配光パターンを生成することが可能な照明装置を提供する。【解決手段】照明装置１は、光源１０ａを備え、固定配光パターンを生成するための第１光学系Ａと、光源１０ｂ、光源１０ｂからの光が入射するレンズ６０、レンズ６０を通過した光を所定の角度範囲に反射する光偏向器７０からなり、可変配光パターンを生成するための第２光学系Ｂと、光が入射したとき、波長の異なる光が出射される蛍光体プレート８０と、蛍光体プレート８０から出射された光を集光して、固定配光パターンと可変配光パターンとを合成した合成配光パターンを投影する投影レンズ９０とを備える。【選択図】図１
2018195429.tif 000002
【特許請求の範囲】
【請求項１】
第１光源を備え、固定配光パターンを生成するための第１光学系と、
第２光源と、該第２光源からの光が入射するレンズ部と、該レンズ部を通過した光を所定の角度範囲に反射する回動ミラー部とからなり、可変配光パターンを生成するための第２光学系と、
前記第１光学系及び前記第２光学系からの光が入射したとき、波長の異なる光が出射される波長変換部と、
前記波長変換部から出射された光を集光して、前記固定配光パターンと前記可変配光パターンとを合成した合成配光パターンを投影する投影レンズと、を備えることを特徴とする照明装置。
【請求項２】
請求項１に記載の照明装置において、
前記第１光学系は、前記第１光源からの光を反射する楕円曲面状の反射鏡と、該反射鏡で反射された光の一部を遮蔽して、前記波長変換部で前記固定配光パターンと前記可変配光パターンとの境界線を形成する遮光部と、をさらに備え、
前記反射鏡の内側の焦点位置に、前記第１光源と前記遮光部とが配置されることを特徴とする照明装置。
【請求項３】
請求項１又は２に記載の照明装置において、
前記第１光学系は、前記第１光源からの光を平行光に変換するコリメートレンズと、該コリメートレンズを通過した光を集光する集光レンズと、をさらに備えることを特徴とする照明装置。
【請求項４】
請求項１〜３の何れか１項に記載の照明装置において、
前記投影レンズは、複数のレンズで構成され、
前記可変配光パターンは、投影されるスクリーン上で前記固定配光パターンの上側に投影されることを特徴とする照明装置。
【請求項５】
請求項１〜４の何れか１項に記載の照明装置において、
前記第１光源からの光と前記第２光源からの光とを前記波長変換部上で部分的に重ねて、前記可変配光パターンと前記固定配光パターンの一部が重なった合成配光パターンを生成することを特徴とする照明装置。
【請求項６】
請求項１〜５の何れか１項に記載の照明装置において、
前記第１光源は、少なくとも２以上の発光ダイオードで構成され、
前記第２光源は、前記第１光源と波長が等しいレーザダイオードであることを特徴とする照明装置。
【請求項７】
請求項１〜６の何れか１項に記載の照明装置において、
前記第２光源の前記レンズ部は、入射した光を平行光に変換するコリメートレンズであることを特徴とする照明装置。
【発明の詳細な説明】
【技術分野】
【０００１】
本発明は、車両用灯具等に用いられる照明装置に関する。
【背景技術】
【０００２】
近年、レーザダイオードの光を傾倒可能なミラー部で反射させて走査し、さらに蛍光体パネルに照射して、配光パターンを投影する照明装置が普及し、車両用のヘッドライト等に利用されている。
【０００３】
例えば、特許文献１の車両用前照灯は、互いに隣接して設けられた固定配光ユニットと、可変配光ユニットとで構成されている。固定配光ユニットは、車両用前照灯が形成する複数の配光パターンにおいて共通する部分（例えば、ロービーム／ハイビームを切り替える場合での水平線より下方の路面照射部分）を形成する。
【０００４】
一方、可変配光ユニットは、車両用前照灯が形成する複数の配光パターンにおいて変化する部分、つまり、各配光パターンのうち固定配光ユニットが形成するパターン共通部分以外の部分を形成する。可変配光ユニットは、２つのレーザ装置、ＭＥＭＳ（Micro Electro Mechanical Systems）ミラー、蛍光体パネル等からなる光源モジュールと、投影レンズとを備えており、光源モジュールから出射された光が投影レンズによって車両前方へ投影されるように構成されている（段落００１６〜００１８，図１）。
【先行技術文献】
【特許文献】
【０００５】
【特許文献１】特許第５５７７１３８号公報
【発明の概要】
【発明が解決しようとする課題】
【０００６】
しかしながら、特許文献１のように、固定配光ユニットと可変配光ユニットとの２つの光学系がある場合、投影距離に応じて各配光パターンを重ね合わせることが難しいという問題が生じていた。
【０００７】
本発明は、このような事情に鑑みてなされたものであり、効率よく配光パターンを生成することができる照明装置を提供することを目的とする。
【課題を解決するための手段】
【０００８】
本発明の照明装置は、第１光源を備え、固定配光パターンを生成するための第１光学系と、第２光源と、該第２光源からの光が入射するレンズ部と、該レンズ部を通過した光を所定の角度範囲に反射する回動ミラー部とからなり、可変配光パターンを生成するための第２光学系と、前記第１光学系及び前記第２光学系からの光が入射したとき、波長の異なる光が出射される波長変換部と、前記波長変換部から出射された光を集光して、前記固定配光パターンと前記可変配光パターンとを合成した合成配光パターンを投影する投影レンズと、を備えることを特徴とする。
【０００９】
本発明の照明装置では、第１光学系で固定配光パターンが生成され、第２光学系で回動ミラー部により可変配光パターンが生成される。第１光学系及び第２光学系の光（例えば、青色光）は、それぞれ波長変換部に入射し、波長変換部上で１つの像が形成される。さらに、波長変換部で光の波長が変更され（例えば、白色光）、投影レンズにより合成配光パターンが投影される。
【００１０】
各配光パターン用の光が波長変換部に照射された後には、１つユニットの１つの光軸で合成配光パターンが投影されるので、投影距離が変化しても各配光パターンの重なり具合が変化することがなく、効率よく合成配光パターンを生成することができる。
【００１１】
本発明の照明装置において、前記第１光学系は、前記第１光源からの光を反射する楕円曲面状の反射鏡と、該反射鏡で反射された光の一部を遮蔽して、前記波長変換部で前記固定配光パターンと前記可変配光パターンとの境界線を形成する遮光部と、をさらに備え、前記反射鏡の内側の焦点位置に、前記第１光源と前記遮光部とが配置されることが好ましい。
【００１２】
この構成によれば、第１光学系では、第１光源からの光が楕円曲面状の反射鏡で反射される。また、反射鏡の内側の焦点位置に第１光源と遮光部とが配置されているので、反射鏡で反射された光は遮光部に集光され、一部の光が遮蔽されて波長変換部に入射する。このとき、遮光部は、固定配光パターンと可変配光パターンとの境界線を形成するので、明瞭な配光パターンを生成することができる。
【００１３】
また、本発明の照明装置において、前記第１光学系は、前記第１光源からの光を平行光に変換するコリメートレンズと、該コリメートレンズを通過した光を集光する集光レンズと、をさらに備えることが好ましい。
【００１４】
この構成によれば、第１光源からの光は、コリメートレンズにより平行光（ほぼ平行な光を含む）に変換された後、集光レンズで集光されて波長変換部に照射される。これにより、第１光源から出射された、固定配光パターンの元となる光が確実に波長変換部の所定位置に照射される。
【００１５】
また、本発明の照明装置において、前記投影レンズは、複数のレンズで構成され、前記可変配光パターンは、投影されるスクリーン上で前記固定配光パターンの上側に投影されることが好ましい。
【００１６】
この構成によれば、投影レンズとして複数のレンズを組み合わせることにより、収差を抑えたり、像を拡大したり、最終的な合成配光パターンを反転させたりすることができる。また、スクリーン上で可変配光パターンが固定配光パターンの上側に投影されるようにする。これにより、照明装置を配光可変ヘッドランプ（ＡＤＢ：Adaptive Driving Beam）として用いたとき、可変配光パターンを対向車の位置等に応じて移動したり、マスクしたりすることができる。
【００１７】
また、本発明の照明装置において、前記第１光源からの光と前記第２光源からの光とを前記波長変換部上で部分的に重ねて、前記可変配光パターンと前記固定配光パターンの一部が重なった合成配光パターンを生成することが好ましい。
【００１８】
この構成によれば、固定配光パターンは、常にスクリーン上の同じ位置に現れ、可変配光パターンは、その位置や形状を変更することができる。第１光源からの光と第２光源からの光とを波長変換部上で部分的に重ねることで、可変配光パターンと固定配光パターンとを重ねることができる。両配光パターンを重ねて合成配光パターンとすることで、投影領域内に明るい領域（ホットゾーン）を生成することができる。
【００１９】
また、本発明の照明装置において、前記第１光源は、少なくとも２以上の発光ダイオードで構成され、前記第２光源は、前記第１光源と波長が等しいレーザダイオードであることが好ましい。
【００２０】
この構成によれば、第１光源を発光ダイオードとすることで、全ての光源をレーザダイオードで構成するより安価な照明装置とすることができる。また、少なくとも２以上の発光ダイオードを並べて使用することで、固定配光パターンを広角の配光とすることができる。
【００２１】
さらに、第１光源の発光ダイオードの光と第２光源のレーザダイオードの光の波長を等しくすることで、固定配光パターンと可変配光パターンとの像の色ムラを抑えることができる。なお、波長が等しいとは、例えば、何れの光源も青色光（波長が約４５０ｎｍ）という程度の意味であり、１ｎｍの精度で等しいことを意味するものではない。
【００２２】
また、本発明の照明装置において、前記第２光源の前記レンズ部は、入射した光を平行光に変換するコリメートレンズであることが好ましい。
【００２３】
この構成によれば、第２光源からの光は、コリメートレンズにより平行光（ほぼ平行な光を含む）に変換された後、回動ミラー部に入射する。これにより、第２光源から出射された、可変配光パターンの元となる光が確実に回動ミラー部に入射し、反射され、波長変換部の所定位置に照射される。
【図面の簡単な説明】
【００２４】
【図１】実施形態の照明装置の全体構成を示す図。
【図２】第１光学系からの光と第２光学系からの光とが蛍光体プレートに入射した様子を示す図。
【図３】照明装置の制御構成を示すブロック図。
【図４Ａ】合成配光パターンの例（通路帯：左）。
【図４Ｂ】合成配光パターンの例（通路帯：右）。
【図４Ｃ】合成配光パターンの例（ホットゾーン有り）。
【図５Ａ】第１光学系の変形例を示す図（１）。
【図５Ｂ】第１光学系の変形例を示す図（２）。
【発明を実施するための形態】
【００２５】
図１は、本発明の実施形態に係る照明装置１の全体構成を示す図である。
【００２６】
図１に示されるように、照明装置１は、光源１０ａ、リフレクタ２０、シェード３０、レンズ４０からなる第１光学系Ａと、光源１０ｂ、レンズ６０、光偏向器７０からなる第２光学系Ｂと、蛍光体プレート８０と、投影レンズ９０とで構成されている。
【００２７】
第１光学系Ａは、プロジェクション方式の光学系であり、後述する固定配光パターン（水平方向パターン）を生成する。
【００２８】
光源１０ａ（本発明の「第１光源」に相当する）は、並列された３個の発光ダイオード（ＬＥＤ：Light Emitting Diode）で構成され、図１においては、紙面奥の方向に発光ダイオードが並列されている。光源としてレーザダイオード（ＬＤ：Laser Diode）を用いてもよいが、レーザダイオードの数を減らすことにより、装置のコストダウンを図ることができる。
【００２９】
発光ダイオードは、少なくとも２個以上を並列させて用いることが好ましい。これにより、最終的に生成される固定配光パターンを広角の配光とすることができる。なお、発光ダイオードの中心波長は約４５０ｎｍであり、青色光を出力する。
【００３０】
光源１０ａは、内面が反射部になっているリフレクタ２０（本発明の「反射鏡」に相当する）の内側に配置されている。リフレクタ２０は楕円曲面状であり、その内面にはアルミニウム膜が蒸着されている。より正確には、光源１０ａは、リフレクタ２０の焦点位置に配置されているので、光源１０ａから出射された光は、リフレクタ２０の内面で反射され、もう１つの焦点位置に収束する。なお、リフレクタは、完全な楕円曲面でなくてもよい。
【００３１】
シェード３０（本発明の「遮光部」に相当する）は、入射した光を遮蔽するとともに、固定配光パターン上端の境界線を形成する遮光板である。シェード３０の光が入射する面には、アルミニウム膜が蒸着されている。また、シェード３０は、リフレクタ２０の焦点位置、かつ後述するコリメートレンズ４０ａの後側焦点に配置されている。リフレクタ２０の内面で反射され、シェード３０に入射した光の一部は、コリメートレンズ４０ａに入射する。
【００３２】
レンズ４０は、コリメートレンズ４０ａと集光レンズ４０ｂとで構成されている。コリメートレンズ４０ａは、シェード３０で反射された光が入射すると、その光を平行光に変換して集光レンズ４０ｂに導光する。そして、集光レンズ４０ｂに入射した光は、集光されて蛍光体プレート８０に照射される。
【００３３】
次に、第２光学系Ｂについて説明する。第２光学系Ｂは、後述する可変配光パターンを生成する。
【００３４】
光源１０ｂ（本発明の「第２光源」に相当する）は、１個のレーザダイオード（ＬＤ：Laser Diode）で構成されている。レーザダイオードの中心波長は約４５０ｎｍであり、青色光を出力することが好ましい。これは、第１光学系Ａの光源１０ａにより生成される固定配光パターンとの像の差（色ムラ等）を低減させるためである。
【００３５】
光源１０ｂから出射された光は、レンズ６０（本発明の「レンズ部」に相当する）に入射する。レンズ６０はコリメートレンズであり、光源１０ｂの光が入射すると、その光をほぼ平行な平行光に変更して光偏向器７０に導光する。
【００３６】
光偏向器７０は、２次元的に傾倒可能なＭＥＭＳミラー（本発明の「回動ミラー部」に相当する）を備え、光源１０ｂから出射され、レンズ６０を通過した光を蛍光体プレート８０の方向に反射させる。光偏向器７０は、定位置のＭＥＭＳミラー中央部に光が入射するように、光軸上に配置される。
【００３７】
このようなＭＥＭＳミラーを備えた光偏向器としては、例えば、特開２００５−１２８１４７号公報や特許第４０９２２８３号公報に記載された公知の構成のミラーを適用することができる。
【００３８】
次に、第１光学系Ａの集光レンズ４０ｂを通過した光と、第２光学系Ｂの光偏向器７０のＭＥＭＳミラーで反射された光とが入射する蛍光体プレート８０について説明する。
【００３９】
蛍光体プレート８０（本発明の「波長変換部」に相当する）は、サファイア基板上に一定の膜厚で蛍光体が塗布されたものを用いた。蛍光体は、光源１０ａ，１０ｂから出射された青色光が照射されることで励起され、青色光と補色の関係にある黄色光を発する蛍光材料である。このため、この蛍光体からは青色光と黄色光とが混色した白色光が出射される。
【００４０】
蛍光体プレート８０は、曲面状であってもよい。なお、本実施形態では、蛍光体として、Ｙ３Ａｌ５Ｏ１２：Ｃｅ３＋の黄色蛍光体を用いた。
【００４１】
次に、蛍光体プレート８０から出射された光が入射する投影レンズ９０について説明する。本実施形態の投影レンズ９０は、４枚のレンズ９０ａ〜９０ｄで構成され、各レンズは、歪み等を抑えて配光パターンの解像度を向上させる役割がある。最も蛍光体プレート８０に近いレンズ９０ａは、その後側焦点が蛍光体プレート８０の位置となるように配置されている。
【００４２】
投影レンズ９０は４枚の構成に限られず、特に、蛍光体プレート８０が曲面状であれば、より少ない数のレンズで配光パターンを投影することができる。  
【００４３】
投影レンズ９０は、蛍光体プレート８０からの光の収差を抑え、像を拡大しつつ前方へ反転投影する。最終的に仮想スクリーンＳ（本発明の「スクリーン」に相当する）に投影される配光パターンでは、固定配光パターンの上側に可変配光パターンが形成される（図４参照）。従って、図１に示されるように、第１光学系Ａは、第２光学系Ｂの上方側に配置される。
【００４４】
蛍光体プレート８０からの光は、投影レンズ９０に入射すると光軸が１つとなるので、投影距離に応じて各配光パターンの重なり具合が変化することがなく、効率よく合成配光パターンを生成することができる。また、照明装置１は、１つのユニットで全領域の配光パターンを生成することができるので、装置を小型化することができる。
【００４５】
図２は、第１光学系Ａからの光と、第２光学系Ｂからの光が入射した状態の蛍光体プレート８０の様子を示している。蛍光体プレート８０の上側のパターンＰＡ’は、第１光学系Ａからの光の照射部分であり、最終的に固定配光パターンとなる。また、蛍光体プレート８０の下側のパターンＰＢ’は、第２光学系Ｂからの光の照射部分であり、最終的に可変配光パターンとなる部分である。
【００４６】
なお、パターンＰＡ’とパターンＰＢ’との境界線Ｌは、上述した第１光学系Ａのシェード３０により作られる。
【００４７】
次に、図３に、照明装置１の制御構成のブロック図を示す。
【００４８】
図３に示されるように、照明装置１は、第１光学系Ａの固定配光ユニット２、第２光学系Ｂの可変配光ユニット３に加え、前方センサ４と、記憶部５と、通信部６と、制御部７とを備えている。
【００４９】
前方センサ４は、車両前方をセンシングして周辺情報を入手する。ここでいう周辺情報とは、歩行者、自転車、対向車、先行車及び障害物等の存在や路面状況のことである。このような前方センサ４としては、カメラ、レーダ、音響センサ等の公知のセンサを用いることができる。
【００５０】
記憶部５は、交通信号や外部照明，道路標識等の位置情報に加え、道路に関する２次元及び３次元の幾何情報を含む地図情報を記憶している。また、通信部６は、車両外部との通信により自車位置情報や時刻，天候等の環境情報を入手する。なお、これら記憶部５及び通信部６に係る各種情報は、車両に設けられた機器から入手するようにしてもよい。
【００５１】
制御部７は、上記各部に接続され、演算処理部７ａと駆動制御部７ｂとを備えている。このうち、演算処理部７ａは、前方センサ４、記憶部５及び通信部６から各種情報を受信して、形成すべき最適な配光パターンを決定する。そして、この配光パターンの形状や光度分布についての配光パターン情報を駆動制御部７ｂへ出力する。このとき、各部からの各種情報は逐次更新され、配光パターンの決定及び配光パターン情報の出力は所定の時間間隔で繰り返し行われる。
【００５２】
一方、駆動制御部７ｂは、固定配光ユニット２の発光ダイオード（光源１０ａ）の点灯制御を行う。また、演算処理部７ａから入力された配光パターン情報に基づいてレーザダイオード（光源１０ｂ）及びＭＥＭＳミラー（光偏向器７０）を制御する。具体的には、駆動制御部７ｂは、レーザダイオードから出射されるレーザ光の点灯強度及び点灯時間を制御するとともに、ＭＥＭＳミラーの傾倒を制御する。
【００５３】
続いて、照明装置１における配光パターンの形成プロセスについて説明する。まず、上述のように、演算処理部７ａが各種情報に基づいて最適な配光パターンを決定すると、駆動制御部７ｂは、この配光パターンについての配光パターン情報に基づいてレーザダイオード及びＭＥＭＳミラーを制御する。駆動制御部７ｂは、固定配光ユニット２を点灯させ、上記配光パターンの水平方向パターン（図２のパターンＰＡ’）を蛍光体プレート８０上に形成させる。
【００５４】
また、駆動制御部７ｂは、レーザダイオードから出射されてＭＥＭＳミラーで反射された光を、形成すべきパターン変化部分に対応した所定の走査パターンで蛍光体プレート８０上を走査させる。
【００５５】
なお、走査態様としては、パターン変化部分の形状をなぞるように光を走査させる、いわゆるベクトルスキャンであってもよいし、パターン変化部分外となる部分も含めて蛍光体プレート８０全面に光を走査させる、いわゆるラスタースキャンであってもよい。或いは、両方式を組み合わせたものでもよい。ただし、パターン変化部分内の特定箇所だけを強く照射したい場合には、ベクトルスキャンの方が効率的である。
【００５６】
次に、図４Ａ〜４Ｃを参照して、仮想スクリーンＳ上に形成される合成配光パターンについて説明する。
【００５７】
合成配光パターンは、固定配光パターンと可変配光パターンとを合成したものであり、照明装置１が車両用灯具として用いられる場合には、主にロービーム用の配光として利用される。以下では、照明装置１を車両用灯具として用いた場合の例を説明する。
【００５８】
まず、図４Ａは、通行帯が左側の場合の合成配光パターンの例を示している。仮想スクリーンＳの下方には、固定配光パターンＰＡが投影され、固定配光パターンＰＡの上方に可変配光パターンＰＢが投影される。これは、蛍光体プレート８０から出射された光は、投影レンズ９０を通過することにより、上下が反転するためである。
【００５９】
図４Ａに示されるように、可変配光パターンＰＢは左側が高く、横方向の中心で高さが切替わり、右側が低くなっている。この形状はＺビーム又はＺラインと呼ばれ、各国の道路法規に対応させた典型的な配光パターンである。
【００６０】
可変配光パターンＰＢは、第２光学系Ｂの光源１０ｂのオン・オフやＭＥＭＳミラーを制御することで、車両前方の一部の領域を非照射とするマスク部を瞬時かつ多様に形成することができる。例えば、前方センサ４で検知した歩行者、先行車又は対向車が存在している領域をマスクすることで、歩行者、先行車又は対向車に対するグレアを抑制することができる。
【００６１】
次に、図４Ｂは、通行帯が右側の場合の合成配光パターンの例を示している。仮想スクリーンＳの下方に固定配光パターンＰＡ、上方に可変配光パターンＰＢが照射される点は同じであるが、可変配光パターンＰＢは右側が高く、横方向の中心で高さが切替わり、左側が低くなっている。図４Ａに示した合成配光パターンから、可変配光パターンＰＢのみを変更することで、簡単に図４Ｂに示す合成配光パターンに切替えることができる。
【００６２】
次に、図４Ｃは、固定配光パターンＰＡと可変配光パターンＰＢとを重ねた合成配光パターンの例を示している。ここでは、可変配光パターンＰＢの下辺中央付近を下向きに凸形状とすることで、可変配光パターンＰＢの一部を固定配光パターンＰＡに重ねている。
【００６３】
配光パターンが重なった部分は、仮想スクリーンＳに強い白色光が照射されるホットゾーンＨとなる。ホットゾーンＨの領域を拡大、縮小することで、走行環境に応じた配光パターンやユーザの好みに合わせた配光パターンを形成することができる。
【００６４】
以上のように、照明装置１では、第１光学系Ａにより固定配光パターンＰＡの元となる像が生成され、第２光学系Ｂにより可変配光パターンＰＢの元となる像が生成される。これらの像は、蛍光体プレート８０上で合成されて１つの像となり、波長が変換されて投影レンズ９０に入射する。そして、投影レンズ９０により像が拡大され、上下が反転され、合成配光パターンが仮想スクリーンＳ上に投影される。
【００６５】
蛍光体プレート８０から出射された光は、１つの光軸を有する光学系で投影されるので、投影距離により固定配光パターンＰＡと可変配光パターンＰＢとがずれてしまうことを防止することができる。
【００６６】
最後に、図５Ａ、図５Ｂを参照して、照明装置１の変形例について説明する。
なお、図１と同じ構成については同じ符号を付し、説明を省略する。
【００６７】
まず、図５Ａに、第１光学系Ａ１と第２光学系Ｂとで構成されるリフレクタ方式の照明装置１００の例を示す。第１光学系Ａ１には、光源１０ａとリフレクタ２０とがあるが、コリメートレンズや集光レンズはない。このため、光源１０ａやリフレクタ２０の配置を調整したり、蛍光体プレート８０を大きくしたりする必要があるものの、このような簡易な構成でも固定配光パターンの元となる像を生成することができる。
【００６８】
次に、図５Ｂに、第１光学系Ａ２と第２光学系Ｂとで構成されるダイレクトプロジェクション方式の照明装置１２０の例を示す。第１光学系Ａ２には、光源１０ａとレンズ４０とがあるが、リフレクタがない。このため、光源１０ａからの光がコリメートレンズ４０ａ、集光レンズ４０ｂの順に通過して、蛍光体プレート８０に照射される。
【００６９】
上記の照明装置１００，１２０は、共にシェードがないので、第１光学系Ａ１，Ａ２による固定配光パターンと、第２光学系Ｂによる可変配光パターンとの明瞭な境界線を作り出すことはできないが、少ない部材により合成配光パターンを生成することができる。
【００７０】
このように、本実施形態の照明装置１，１００，１２０は、主に車両用前照灯に適用することができる。照明装置１，１００，１２０を、一般照明に用いてもよい。また、上記の実施形態は一例であり、これ以外にも様々な変形例が考えられる。  
【００７１】
例えば、光源は青色光に限られず、紫外光等であってもよい。なお、光源の光の波長に応じて蛍光体プレートの蛍光体の種類を変えて、白色光が出射されるように工夫する必要がある。
【００７２】
また、上述の蛍光体プレート８０は、光が入射面から入射したとき、入射面の反対側の出射面から波長の異なる光を出射する透過型の蛍光体プレートであった。しかし、透過型に限られず、入射面側に反射膜が形成され、同じ面から反射光を出射させる反射型の蛍光体プレートを使用することもできる。
【符号の説明】
【００７３】
１，１００，１２０…照明装置、１０ａ…光源（第１光源），１０ｂ…光源（第２光源）、２０…リフレクタ（反射鏡）、３０…シェード（遮光部）、４０…レンズ，６０…レンズ（レンズ部）、７０…光偏向器（回動ミラー部）、８０…蛍光体プレート（波長変換部）、９０…投影レンズ。
【図１】
2018195429.tif 000003
【図２】
2018195429.tif 000004
【図３】
2018195429.tif 000005
【図４Ａ】
2018195429.tif 000006
【図４Ｂ】
2018195429.tif 000007
【図４Ｃ】
2018195429.tif 000008
【図５Ａ】
2018195429.tif 000009
【図５Ｂ】
2018195429.tif 000010